(57)【要約】【課題】仰向きに寝た場合、体の裏側の各部のアーチ状の窪みを埋めて、裏全体で下から受ける圧を、平均化させて弱め、且つ共通の血行促進用具を提供する。【解決手段】図１はクッション材２の部品と、縦長の帯状の布で面ファスナ凸５と凹６を適切に切断して各々両端に縫い付けた巻布３の部品と、開口部７付きの筒布４にクッション材２を中央の位置に収容する目的と巻布３を開口部７の一方から挿入し他方の開口部７から出して収容の目的を持った筒布４の部品、計３点の部品の組合せた用具１で、体の裏側各部のアーチ状の窪みを埋める。【選択図】図１
2009207863.tif 000002
【特許請求の範囲】
【請求項１】
人が仰向けに寝た場合、人体裏側の各窪んだアーチ状を埋めて、下からの圧を裏全体で平均的に受ける事により、従来受けていた踵、ふくらはぎ、腰部、背部、後頭部の圧を弱め、血行を良行にして、圧からの原因とする、病の発生を防ぎ、発生しても進行を遅らせ、且つ単純、簡潔で共通の部品の組合せ、共通化により安価に出来ることを特徴とする。
【請求項２】
請求項１の用具は、方形の板状に適切に切断したクッション材の部品と、縦長の帯状の布で両端に面ファスナの凸と凹を適切に切断して各々縫い付け、輪状にして両端を接着可能な巻布の部品と、巻布と同形の帯状の布で、一方の短い巾同志を縫い合わせ、他方は両端が開口した状態の筒状にして、クッション材を内部の中央位置に収容する目的と、巻布を一方の開口部から挿入し他の開口部から出して収容する目的を持つ、２目的を持った筒布の部品、計３点の部品の組合せを特徴とする体の血流促進用具。
【請求項３】
クッション材の厚さ不足の場合は、クッション材を筒布の中を通る巻布の内側に２枚、又は内側外側に各１枚、又は外側に２枚挿入して厚さを調整するが、下肢使用の場合はクッション材を内側に挿入するに従い巻布の長さが短かくなる特徴を有する体の血流促進用具。
【請求項４】
請求項３で更にクッション材追加が、筒布の構造上、不可能な場合は、筒布の中に請求項２の巻布を挿入して外部で面ファスナを接着して筒布の代用とするか、又は面ファスナの無い縦長の布を挿入して外部で両端を縫い合わせて筒布とし、十字型の四方を開口した２重の筒布としてクッション材を追加することを特徴とする体の血流促進用具。
【請求項５】
請求項１の仰向けに寝た場合以外の使用で、正座状態の下肢の踵とふくらはぎ間に使用すると、足のしびれ予防、しびれ進行を遅らせることを特徴とする体の血流促進用具。
【発明の詳細な説明】
【技術分野】
【０００１】  本発明の主目的は、仰向きに寝た際の体の裏のアーチ状の窪みを埋めて体調に貢献する用具に関するものである。
【背景技術】
【０００２】  身につけて体をいたわる製品は、市場に星の数ほど出回っており、分割出来ない完成した製品が主流となっている。【０００３】  市場には加温したり、種々の効能の付加価値をつけた高額製品が多いが、絶対的に良いと一品に購買が集中したものは無い。【０００４】  正座した場合、下肢以外の全体重が、主に下肢のふくらはぎを圧す状態になるので、大多数の人に時間と共に、足にしびれが発生し、予防対策として座椅子があるが、安価な座椅子ほど姿勢を正しく座わり続けることは、難かしく、且つ常に座椅子を保持して移動する人は、皆無に等しい。
【発明の開示】
【発明が解決しようとする課題】
【０００５】  人体の正しく立った姿勢で、仰向けに寝た際、体重、寝具の重さで踵、ふくらはぎ、腰部、背部、後頭部は接地面を強く圧す負担が発生する。【０００６】  ０００５の踵とふくらはぎの負担の継続は、踵とふくらはぎの血流を悪化させ、疲労回復を遅らせ、足つりの原因となり、寝たきりの人の踵のじょくそうの原因となるのでその対策用具を提供することにある。【０００７】  ０００５の腰部、背部の負担継続は背骨に欠陥の無い人でも背骨の腰椎と仙骨間に初期の腰痛が発生したり、寝たきりの人の腰部、背部のじょくそう発生の原因になるので対策用具を提供することにある。【０００８】  ０００５の後頭部の負担継続による寝たきりの人の頭部じょくそう発生対策、頭と心臓を同じ高さにして血流の心臓負担軽減対策、頭を後に反らすことによる鼻の空気流通増、酸素体内吸収増、初期の鼻づまり解消に用具を提供することである。【０００９】  人は正座した場合、頭部、胴体、上肢の重さが主に下肢のふくらはぎを圧する状態になり、大多数の人に足のしびれが発生するので、対策用具を提供することである。【００１０】  肩こりになる人は、手先迄の血流循環が悪い場合があるので、体全体の血流を良くする事により、間接的対策用具を提供することである。【００１１】  下肢、腰部、首筋の対策用具が各々異形であれば不便であり、高価格となるので、同形にして扱いやすい安価な対策用具を提供することである。
【課題を解決するための手段】
【００１２】  仰向けに寝た場合、裏側の接地面、主に踵、ふくらはぎ、腰部、背面、後頭部が人体、寝具の重さで圧が発生し、圧の継続はその部分の血行を悪化させ好ましいことではない。【００１３】  本発明は、上記に加え、体形、体重、アーチ状の違いに対応可能な用具を提供して、アーチ状の窪みを埋め裏側全体で下からの圧を平均化し、踵、腰部、背面、後頭部の負担を軽減させることにより血管の圧迫を和らげ、血流を良好にして体全体の疲労回復、じょくそう発生の防止と病状の進行防止と治癒、下肢の足つり、初期の腰痛対策、首筋枕として初期の鼻づまり対策等の多目的対策を、３部品を具備している共通用具での対応を特徴としている。【００１４】  人が仰向けに寝る以外で、日常しばしば経験する正座は、下肢以外の全体重が、主に下肢のふくらはぎに圧を加え、足のしびれの原因となるので、ふくらはぎと踵間に用具を巻きつけてふくらはぎと同程度の高さにすると、用具の巻きつけたところにふくらはぎへの圧の一部が移行して、下肢全体で体重の圧を受けて、足のしびれ防止、しびれ進行を遅らせる特徴を有する。
【発明の効果】
【００１５】  ３部品の組合せ、（１）部品は、方形で板状に適切に切断したクッション材と、（２）部品は、縦長の布で両端に面ファスナの凸と凹を各々縫い込み、両端を接着させて縦長の布を輪状に出来る巻布と、（３）部品は、両端が開口した筒状の布でクッション材を中央に収容する役割と、巻布を開口した両端の一方から挿入し他方から出して、両端の面ファスナの中央位置に収容する役割を持った筒布の、計３部品を組合せて多数の目的に貢献する用具。【００１６】  ００１５の多数の目的の一つで、ふくらはぎの下部から踵の上方間の窪んだアーチ状に、用具のクッション材を当てるように巻いて、巻布の両端の面ファスナを接着し、踵とふくらはぎ間を平面に近づけて、上からの負担を平均化し、踵、ふくらはぎの負担を減少させて血流を良好にして疲れの解消、足つり減少、踵のじょくそう対策とする。【００１７】  ００１６の踵とふくらはぎ間は、クッション材の増加によって更に厚くして上からの負担をさらに減少させ、特にじょくそう対策に有効にする。【００１８】  ００１５の多数の目的の一つで、腰椎の下に、用具を窪んだアーチ状に埋め、背面全体を平面状に近づけて、腰部と背面の負担を軽減して初期の腰痛対策とし、更に上げることにより尻部じょくそう対策とするが、用具が移動しないよう筒布にひもを通し腹上にて結ぶ必要があると共に、必要ない巻布の先端は筒布の中に収容する。【００１９】  ００１５の多数の目的の一つで、アーチ状の窪んだ首筋下に首筋枕として使用し、頭と心臓の高さを同じにして心臓の負担を減らし、血流を良くすると共に、頭を前に傾むけるのと後ろに傾むけるのでは、後の方が呼吸量が多くなるので、後ろに傾むける目的で使用し、初期の鼻づまり症状対策となし、更に首筋枕として高くすると、後頭部のじょくそう対策となるが、更に長い巻布に交換して首筋に巻くか、用具をタオル等で巻いて首筋の下に置く２方法がある。【００２０】  ００１５の用具は就寝以外の用途で、正座した場合、下肢のふくらはぎの下部から踵の上方間の窪んだアーチ状に、クッション材を多重にした用具を巻きつけると、ふくらはぎへの体重圧が下肢全体で受けるようになり、足のしびれ予防、しびれ進行を遅らせることが出来る。【００２１】  ００１５の巻布と筒布は同形のため材料費、加工費の削減に貢献する。
【発明を実施するための最良の形態】
【００２２】  以下、本発明を実施するための最良の形態について説明する。
図１、２はクッション材２と、縦長の帯状の布で面ファスナ凸５と凹６を適切に切断して各々両端に縫い付けた巻布３と、開口部７付きの筒布４に図１、２のように収容する目的と巻布３を開口部７の両端一方から挿入して他方の開口部７から出して収容する目的を持った筒布４の計３点のクッション材２、巻布３、筒布４を組合せた用具１の構造である。【００２３】  巻布３と筒布４の使用する布の標準サイズは、縦１５ｃｍ、横３６ｃｍで同形であり、巻布３の両端の一方に３ｃｍの面ファスナ凸５を、他方に１０ｃｍの凹６を縫い付け、凸５を凹６、１０ｃｍの長さの適所に接着することにより、巻布３の長さを１０ｃｍ範囲内で調節することが出来る。【００２４】  筒布４は巻布３と同形の布の両端の巾１５ｃｍを縫い合わせて筒状にしたものである。更に、巻布３の面ファスナを接着して筒布４の代用も出来るが、面ファスナの価格がプラスされるので出来るだけ避けるようにする。【００２５】  用具を下肢に使用する場合、筒布４の中を通る巻布３の内側にクッション材を挿入して下肢に巻くと、内周りが短かくなり、巻布３の外側にクッション材２を挿入すると、内周りに関係なく使用出来る特徴を有する。【００２６】  クッション材２、巻布３、筒布４の３点セットの用具１は、常時、区別なく各部に使用可能であり、筒布４の外に出ている面ファスナが不必要の場合は、筒布４の中に収用するか、外部で両端を接着する。【００２７】  図４で用具１を各々、下肢の踵ＢとふくらはぎＣ間、腰部Ｄと背部Ｅ間、背部Ｅと後頭部Ｆ間の窪んだアーチ状Ｇに埋めて、裏全体を平面状に床着面Ｈに着地させて、人体Ａの裏全体で受ける圧を平均化して、従来受けていた突出部の圧を弱めて血行を良くするためのクッション材の位置を示している。【００２８】  図５は正座した人体Ａの下肢の踵ＢとふくらはぎＣ間に用具を巻くと、頭部、胴体、上肢の重さが主にふくらはぎＣへの圧となっていたものが、下肢全体で受けて、圧が分散されることにより足のしびれ防止するためのクッション材の位置を示している。
【図面の簡単な説明】
【００２９】
【図１】用具の上面図
【図２】用具のクッション材を巻布の内側に設置した状態の側面図
【図３】用具のクッション材を巻布の内側と外側に設置した状態の側面図
【図４】人体裏側のアーチ状の窪みにクッション材を設置して、人体裏側と床が平行状態を示した一方側の面を見た図
【図５】正座した人体の下肢の踵とふくらはぎ間にクッション材を設置した位置の状態を示した図
【符号の説明】
【００３０】１  用具
２  クッション材
３  巻布
４  筒布
５  面ファスナ凸
６  面ファスナ凹
７  筒布開口部
Ａ  人体
Ｂ  踵
Ｃ  ふくらはぎ
Ｄ  腰部
Ｅ  背部
Ｆ  後頭部
Ｇ  アーチ状の窪み
Ｈ  床着面
Ｉ  内側
Ｊ  外側
【図１】
2009207863.tif 000003
【図２】
2009207863.tif 000004
【図３】
2009207863.tif 000005
【図４】
2009207863.tif 000006
【図５】
2009207863.tif 000007